(57)【要約】【課題】  簡単な構造で、ユーザに除塵フィルタの汚れ度合を知覚させることが可能な空気清浄器を提供すること。【解決手段】  フィルタカバー１２にはマスキング部１２１が一体成形されており、このマスキング部１２１により除塵フィルタ３０には除塵領域３１とマスキング領域３２とが形成される。したがって、フィルタカバー１２を取り外して除塵領域３１とマスキング領域３２とを見比べることにより、除塵フィルタ３０の汚れ度合を容易に知ることができる。【選択図】        図２
2007021377.tif 000002
【特許請求の範囲】
【請求項１】
内部に、室内に吹き出す空気を流通するケーシング（１０）と、
前記ケーシング（１０）内に設けられ、前記ケーシング（１０）内を流通する空気を通過させ、通過する空気中から塵埃を捕捉して取り除く除塵フィルタ部材（３０）と、
前記除塵フィルタ部材（３０）の一部をマスキングするマスキング部材（１２１）とを備えることを特徴とする空気清浄器。
【請求項２】
前記マスキング部材（１２１）は、前記ケーシング（１０）に設けられていることを特徴とする請求項１に記載の空気清浄器。
【請求項３】
前記マスキング部材（１２１）は、前記ケーシング（１２）に一体成形されていることを特徴とする請求項２に記載の空気清浄器。
【請求項４】
前記ケーシング（１０）は、複数の分割体（１１、１２、１３）からなり、
前記複数の分割体（１１、１２、１３）のうち、一部の分割体（１２）は、残部の分割体（１１、１３）に対し着脱可能なカバー部材（１２）をなしており、
前記マスキング部材（１２１）は、前記カバー部材（１２）に設けられていることを特徴とする請求項１ないし請求項３のいずれか１つに記載の空気清浄器。
【請求項５】
前記マスキング部材（１２１）は、前記除塵フィルタ部材（３０）のうち、通過する空気流量が比較的小さい部位をマスキングするように設けられていることを特徴とする請求項１ないし請求項４のいずれか１つに記載の空気清浄器。
【請求項６】
前記ケーシング内（１０）に設けられ、回転軸（２２）を中心に回転して前記ケーシング（１０）内に空気流れを形成する遠心式ファン（２３）を備え、
前記マスキング部材（１２１）は、前記除塵フィルタ部材（３０）のうち、前記回転軸（２２）の延設方向に配設された部位をマスキングするように設けられていることを特徴とする請求項１ないし請求項４のいずれか１つに記載の空気清浄器。
【請求項７】
前記マスキング部材（１２１）は、前記除塵フィルタ部材（３０）を圧縮するように配設されていることを特徴とする請求項１ないし請求項６のいずれか１つに記載の空気清浄器。
【請求項８】
前記マスキング部材（１２１）による前記除塵フィルタ部材（３０）の圧縮率は、０．５〜３０％であることを特徴とする請求項７に記載の空気清浄器。
【請求項９】
前記マスキング部材（１２１）は、前記除塵フィルタ部材（３０）のマスキングされる部分（３２）を取り囲むように筒状に形成されていることを特徴とする請求項１ないし請求項８のいずれか１つに記載の空気清浄器。
【請求項１０】
前記マスキング部材（１２１）は、前記除塵フィルタ部材（３０）のマスキングされる部分（３２）を取り囲むように円筒状に形成されていることを特徴とする請求項１ないし請求項８のいずれか１つに記載の空気清浄器。
【請求項１１】
前記マスキング部材（１２１）は、前記除塵フィルタ部材（３０）の下方に配置され、前記除塵フィルタ部材（３０）を下方から支持することを特徴とする請求項１ないし請求項１０のいずれか１つに記載の空気清浄器。
【請求項１２】
前記ケーシング（１０）の少なくとも一部を、前記除塵フィルタ部材（３０）が塵埃を捕捉した状態の色と略同一色とすることを特徴とする請求項１ないし請求項１１のいずれか１つに記載の空気清浄器。
【請求項１３】
前記ケーシング（１０）の少なくとも一部（１２３）を透明材料により形成し、前記除塵フィルタ部材（３０）の前記マスキング部材（１２１）でマスキングされた部位（３２）とマスキングされていない部位（３１）とを視認可能としたことを特徴とする請求項１ないし請求項１２のいずれか１つに記載の空気清浄器。
【請求項１４】
車両に搭載され、
前記除塵フィルタ部材（３０）は、前記車両の室内に吹き出す前の空気から塵埃を捕捉して取り除くことを特徴とする請求項１ないし請求項１３のいずれか１つに記載の空気清浄器。
【発明の詳細な説明】
【技術分野】
【０００１】
本発明は、空気中の塵埃を捕捉し空気を清浄化する空気清浄器に関する。
【背景技術】
【０００２】
従来技術として、下記特許文献１に開示された空気清浄器がある。この空気清浄器は、汚れ検知センサの出力に基づいて、制御回路機構が塵埃粒子を捕捉する除塵フィルタの汚れ度合を判別し、複数のＬＥＤからなる表示部を点灯あるいは点滅させて汚れ度合いを表示するようになっている。
【特許文献１】特開２００１−３０４６６９号公報
【発明の開示】
【発明が解決しようとする課題】
【０００３】
しかしながら、上記従来技術の空気清浄器では、ユーザに除塵フィルタの汚れ度合を知らせるために、センサ、制御回路、表示素子等を設けているので、構造が非常に複雑になるという問題がある。
【０００４】
本発明は、上記点に鑑みてなされたものであり、簡単な構造で、ユーザに除塵フィルタの汚れ度合を知覚させることが可能な空気清浄器を提供することを目的とする。
【課題を解決するための手段】
【０００５】
上記目的を達成するため、請求項１に記載の発明では、
内部に、室内に吹き出す空気を流通するケーシング（１０）と、
ケーシング（１０）内に設けられ、ケーシング（１０）内を流通する空気を通過させて、通過する空気中から塵埃を捕捉して取り除く除塵フィルタ部材（３０）と、
除塵フィルタ部材（３０）の一部をマスキングするマスキング部材（１２１）とを備えることを特徴としている。
【０００６】
これによると、除塵フィルタ部材（３０）が通過する空気中から塵埃を捕捉して汚れても、マスキング部材（１２１）により通過する空気からマスキングされた除塵フィルタ部材（３０）の一部は汚れることはない。したがって、除塵フィルタ部材（３０）のマスキングされた部分（３２）とマスキングされていない部分（３１）とを見比べることにより、除塵フィルタ部材（３０）の汚れ度合を知ることができる。このようにして、簡単な構造で、ユーザに除塵フィルタ部材（３０）の汚れ度合を容易に知覚させることができる。
【０００７】
また、請求項２に記載の発明では、マスキング部材（１２１）は、ケーシング（１０）に設けられていることを特徴としている。
【０００８】
これによると、除塵フィルタ部材（３０）をケーシング（１０）内に配置することにより、マスキング部材（１２１）により除塵フィルタ部材（３０）の一部をマスキングすることができる。
【０００９】
また、請求項３に記載の発明では、マスキング部材（１２１）は、ケーシング（１２）に一体成形されていることを特徴としている。
【００１０】
これによると、マスキング部材（１２１）を設けたことにより、部品点数が増加することを抑制できる。
【００１１】
また、請求項４に記載の発明では、ケーシング（１０）は、複数の分割体（１１、１２、１３）からなり、複数の分割体（１１、１２、１３）のうち、一部の分割体（１２）は、残部の分割体（１１、１３）に対し着脱可能なカバー部材（１２）をなしており、マスキング部材（１２１）は、着脱可能なカバー部材（１２）に設けられていることを特徴としている。
【００１２】
これによると、カバー部材（１２）を取り外すことで、容易に除塵フィルタ部材（３０）の汚れ度合を確認することができる。
【００１３】
また、請求項５に記載の発明では、マスキング部材（１２１）は、除塵フィルタ部材（３０）のうち、通過する空気流量が比較的小さい部位をマスキングするように設けられていることを特徴としている。
【００１４】
これによると、除塵フィルタ部材（３０）の一部をマスキングするようにマスキング部材（１２１）を設けても、空気流れのロスが発生し難く、通過風量が低下し難い。
【００１５】
また、請求項６に記載の発明では、
ケーシング内（１０）に設けられ、回転軸（２２）を中心に回転してケーシング（１０）内に空気流れを形成する遠心式ファン（２３）を備え、
マスキング部材（１２１）は、除塵フィルタ部材（３０）のうち、回転軸（２２）の延設方向に配設された部位をマスキングするように設けられていることを特徴としている。
【００１６】
遠心式ファン（２３）は、空気を回転軸（２２）方向から吸入し径外方向に吐出するものであるが、回転軸（２２）の周囲に空気が流れても回転軸（２２）部分には空気は流通しない。すなわち、除塵フィルタ部材（３０）のうち、回転軸（２２）の延設方向に配設された部位は、他の部位に比較して通過する空気流量が小さい。
【００１７】
したがって、除塵フィルタ部材（３０）のうち、回転軸（２２）の延設方向に配設された部位をマスキングするようにマスキング部材（１２１）を設けても、空気流れのロスが発生し難く、通過風量が低下し難い。
【００１８】
また、請求項７に記載の発明では、マスキング部材（１２１）は、除塵フィルタ部材（３０）を圧縮するように配設されていることを特徴としている。
【００１９】
これによると、一般的に除塵フィルタ部材（３０）が有している空隙を潰して通気性を低下させ、マスキング部材（１２１）が除塵フィルタ部材（３０）の一部を確実にマスキングすることができる。
【００２０】
また、請求項８に記載の発明では、マスキング部材（１２１）による除塵フィルタ部材（３０）の圧縮率は、０．５〜３０％であることを特徴としている。
【００２１】
マスキング部材（１２１）による除塵フィルタ部材（３０）の圧縮率が０．５％未満であると、マスキング部材（１２１）による除塵フィルタ部材（３０）の空隙を潰すことによる通気性低下の効果が小さく、マスキング性が低下し易い。一方、マスキング部材（１２１）による除塵フィルタ部材（３０）の圧縮率が３０％を超えると、除塵フィルタ部材（３０）の圧縮応力（圧縮に伴なう反力）が大きくなり、除塵フィルタ部材（３０）とマスキング部材（１２１）とを組み合わせ難く好ましくない。
【００２２】
したがって、マスキング部材（１２１）による除塵フィルタ部材（３０）の圧縮率が０．５〜３０％であると、圧縮応力が大きくなることもなく、マスキング性も確保し易い。
【００２３】
また、請求項９に記載の発明では、マスキング部材（１２１）は、除塵フィルタ部材（３０）のマスキングされる部分（３２）を取り囲むように筒状に形成されていることを特徴としている。
【００２４】
これによると、マスキング部材（１２１）は除塵フィルタ部材（３０）のマスキングする部位の外周に接触するだけで、内側を含む領域をマスキングすることができる。すなわち、体積が小さいマスキング部材（１２１）であってもマスキング面積を確保することが容易である。
【００２５】
また、マスキング部材（１２１）が除塵フィルタ部材（３０）を圧縮するように配設される場合には、圧縮応力（圧縮に伴なう反力）を小さくし易い。さらに、ケーシング（１２）とマスキング部材（１２１）とを樹脂で一体成形した場合には、マスキング部（１２１）の体積を小さくし、肉厚を略均一とし易いので、成形に伴なう収縮変形を防止し易い。
【００２６】
また、請求項１０に記載の発明のように、マスキング部材（１２１）を、除塵フィルタ部材（３０）のマスキングされる部分（３２）を取り囲む円筒状に形成すれば、マスキング面積の確保、圧縮応力（圧縮に伴なう反力）の低減、成形収縮変形の防止の各点において、極めて良好である。
【００２７】
また、請求項１１に記載の発明では、マスキング部材（１２１）は、除塵フィルタ部材（３０）の下方に配置され、除塵フィルタ部材（３０）を下方から支持することを特徴としている。
【００２８】
これによると、一般的に比較的撓み易い素材からなる除塵フィルタ部材（３０）を、専用の支持部材を設けることなく、下方から支持することができる。
【００２９】
また、請求項１２に記載の発明では、ケーシング（１０）の少なくとも一部を、除塵フィルタ部材（３０）が塵埃を捕捉した状態の色と略同一色とすることを特徴としている。
【００３０】
これによると、除塵フィルタ部材（３０）のマスキングされた部分（３２）とマスキングされていない部分（３１）とを見比べるばかりでなく、除塵フィルタ部材（３０）のマスキングされていない部分（３１）と除塵フィルタ部材（３０）が塵埃を捕捉して汚れた状態の色と略同一色のケーシング（１０）とを見比べることができる。したがって、除塵フィルタ部材（３０）の汚れの進行度合を知ることができる。
【００３１】
また、請求項１３に記載の発明では、ケーシング（１０）の少なくとも一部（１２３）を透明材料により形成し、除塵フィルタ部材（３０）のマスキング部材（１２１）でマスキングされた部位（３２）とマスキングされていない部位（３１）とを視認可能としたことを特徴としている。
【００３２】
これによると、ケーシング（１０）から除塵フィルタ部材（３０）を取り外したり、除塵フィルタ部材（３０）が組み込まれたケーシング（１０）の一部を取り外したりしなくても、除塵フィルタ部材（３０）のマスキングされた部分（３２）とマスキングされていない部分（３１）とを見比べることができ、除塵フィルタ部材（３０）の汚れ度合を知ることができる。
【００３３】
また、請求項１４に記載の発明では、車両に搭載され、除塵フィルタ部材（３０）は、車両の室内に吹き出す前の空気から塵埃を捕捉して取り除くことを特徴としている。
【００３４】
車両の室内は、一般的に建物等の室内より室内空間が狭いため、簡単な構造でユーザに除塵フィルタ部材（３０）の汚れ度合を容易に知覚させることができる空気清浄器は、体格を小さくすることが可能であり、非常に好ましい。また、車両の室内は温度が高くなる場合があるとともに、振動が加わる場合があり、環境条件が非常に厳しい。このような厳しい環境条件下に搭載される空気清浄器において、除塵フィルタ部材（３０）の汚れ度合を容易に知覚させるための構造がシンプルであると、信頼性の観点からも好ましい。
【００３５】
なお、上記各手段に付した括弧内の符号は、後述する実施形態記載の具体的手段との対応関係を示す一例である。
【発明を実施するための最良の形態】
【００３６】
以下、本発明の実施の形態を図に基づいて説明する。
【００３７】
図１は、本発明を適用した一実施形態における空気清浄器１の外観を示す斜視図であり、図２は、図１におけるＡ−Ａ線断面図である。
【００３８】
図１に示す本実施形態の空気清浄器１は、車室内の天井面略中央に吊り下げられるタイプであって、図１に示す上側を天井側として車両に搭載される車両用空気清浄器である。
【００３９】
図１および図２に示すように、空気清浄器１は樹脂製のケーシング１０を備えている。ケーシング１０は、分割形成した複数の分割体を組み合わせており、外観を重視する分割体は非晶性樹脂（本例ではＡＢＳ（アクリロニトリル・ブタジエン・スチレン）樹脂）により形成し、構造強度を重視する分割体は結晶性樹脂（本例ではＰＰ（ポリプロピレン）樹脂）により形成している。
【００４０】
図２に示すように、ケーシング１０は、ケース本体部１１、フィルタカバー１２、およびフィルタ固定ケース１３等により構成されている。そして、図示下方側においてケース本体部１１とフィルタカバー１２との間に設けられた吸込口１５から吸い込んだ車室内の空気を内部に流通し、図示左右端部においてケース本体部１１に設けられた吹出口１６から車室内に吹き出すようになっている。
【００４１】
ケーシング１０内の中央部には、ファンモータ２１と、ファンモータ２１により回転駆動されケーシング１０内に吸込口１５から吹出口１６に向かう空気流れを形成するシロッコファン（遠心式ファン）２３とからなる送風機２０が配設されている。
【００４２】
ケーシング１０内のシロッコファン２３の下方側には、ＰＰ樹脂製のフィルタ固定ケース１３に装着された除塵フィルタ３０が、空気通路の全域を横切るように、横方向（略水平方向）に延設されている。
【００４３】
フィルタ固定ケース１３には、除塵フィルタ３０を仮固定できるように、外枠部下端から内側に向かって突出した係止爪１３１が一体成形されており、この係止爪１３１より上部に除塵フィルタ３０は装着される。
【００４４】
この除塵フィルタ３０は、吸込口１５から吸い込んだ車室内の空気が通過するときに、この空気中に含まれる塵埃粒子を捕捉するものであって、本発明で言う除塵フィルタ部材に相当するものである。
【００４５】
本実施形態の除塵フィルタ３０は、帯電繊維を絡み合わせた綿状の部材であり、大きな空隙を有して通気抵抗を低減しているものの、空隙より大きな塵埃粒子ばかりでなく空隙より小さな塵埃粒子も捕捉可能なフィルタ部材である。
【００４６】
図２に示すように、シロッコファン２３の図示左右側、すなわちシロッコファン２３より下流側には、各種の機能ユニット４０が装着されている。
【００４７】
機能ユニット４０としては、例えば、除塵フィルタ３０とは異なる種類の粒子を捕捉するための除塵フィルタユニット、臭いを除去するための脱臭フィルタユニット、香りを発生するための香り発生器、イオンを発生するためのイオン発生器等があり、好みに応じて適宜装着できるようになっている。
【００４８】
除塵フィルタ３０の下方には、ＡＢＳ樹脂製のフィルタカバー１２が装着されている。このフィルタカバー１２は、前述したように、ケーシング１０の一部をなすものであって、図１に示すように、弾性変形可能な係止用のワンタッチ爪１２２によりケース本体部１１に係止している。
【００４９】
これにより、フィルタカバー（カバー部材に相当）１２は、下方に向かって応力を付勢すればケース本体部１１から容易に脱離可能であり、上方に向かって応力を付勢すればケース本体部１１に容易に装着可能となっている。すなわち、フィルタカバー１２はケース本体部１１に対し容易に着脱可能となっている。
【００５０】
図２に示すように、このフィルタカバー１２には、上面側に、円筒形状のマスキング部（マスキング部材に相当）１２１が一体成形されている。
【００５１】
このマスキング部１２１は、除塵フィルタ３０の一部を通過する空気からマスキングして、マスキングした部分に塵埃粒子が付着しないようにするものであって、マスキング部１２１は、除塵フィルタ３０のうち、通過する空気流量が比較的小さい中央部をマスキングするように配設されている。
【００５２】
この除塵フィルタ３０中央部のマスキング部１２１によってマスキングされたマスキング領域３２は、シロッコファン２３を回転する回転軸２２の延設方向部位（回転軸２２の下方部位）であって、上方に回転軸２２が配設されているため、除塵フィルタ３０の中では周囲に対して比較的通過風量が少ない部位である。
【００５３】
また、マスキング部１２１は、フィルタカバー１２がケース本体部１１に装着されたときに、除塵フィルタ３０の中央部（マスキング領域３２の外周縁部）を円周状に若干圧縮するようになっている。
【００５４】
これにより、除塵フィルタ３０が有している空隙を圧縮することによって潰し、通気性を低下させ、マスキング部１２１が除塵フィルタ部材３０のマスキング領域３２を確実にマスキングすることができようになっている。
【００５５】
このマスキング部１２１による除塵フィルタ３０マスキング領域３２周縁部の圧縮率（除塵フィルタ３０の厚さ寸法に対する圧縮寸法の比率）は、０．５〜３０％であることが好ましい。
【００５６】
マスキング部１２１による除塵フィルタ３０の圧縮率が０．５％未満であると、除塵フィルタ３０の空隙が充分に潰されず、除塵フィルタ３０内において周縁部から中央部へ通気することが可能となり、除塵フィルタ３０中央部への塵埃粒子の侵入を完全に抑止することが困難である。
【００５７】
一方、マスキング部１２１による除塵フィルタ３０の圧縮率が３０％を超えると、除塵フィルタ３０の圧縮応力（圧縮に伴なう反力）が大きくなり、マスキング部１２１を備えるフィルタカバー１２をケース本体部１１に装着しづらくなり好ましくない。
【００５８】
したがって、マスキング部１２１による除塵フィルタ３０の圧縮率が０．５〜３０％であると、圧縮反力が大きくなることもなく、マスキング性も確保し易い。
【００５９】
また、フィルタカバー１２のマスキング部１２１は、下方から除塵フィルタ３０の中央部を支持している。除塵フィルタ３０は綿状部材であって撓み易く、周縁部を前述の係止爪１３１で係止するだけでは中央部が垂れ下り易いが、マスキング部１２１が除塵フィルタ３０の中央部を下方から支持できるので、除塵フィルタ３０はフィルタ固定ケース１３の所定設置場所に確実に保持される。
【００６０】
上述の構成の空気清浄器１では、送風機２０が作動すると、ケース本体部１１とフィルタカバー１２との間に形成された吸込口１５から車室内の空気が吸入され、除塵フィルタ３０のマスキング領域３２以外の除塵領域３１で吸入空気から塵埃粒子が除去される。除塵された空気は、各機能ユニット４０を通過した後、吹出口１６から車室内に吹き出される。
【００６１】
ここで、除塵フィルタ３０の汚れ度合のチェック方法について説明する。
【００６２】
まず、図３に示すように、吸込口１５からフィルタカバー１２に手を掛けて引き下ろし、フィルタカバー１２をケース本体部１１から取り外す。なお、本実施形態のようにフィルタカバー１２をケース本体部１１から完全に取り外すものではなく、回転係止構造部等を設けて、フィルタカバー１２によりカバーしていた除塵フィルタ３０下方側を開放するものであってもよい。
【００６３】
次に、図４に示すように、除塵フィルタ３０の除塵領域３１とマスキング領域３２とを比較して、色合い等の差により除塵フィルタ３０の汚れ度合をチェックする。そして、必要に応じて除塵フィルタ３０を交換した後、フィルタカバー１２をケース本体部１１に再度装着する。
【００６４】
上述の構成およびチェック方法によれば、除塵フィルタ３０の除塵領域３１とマスキング領域３２とを見比べることにより、除塵フィルタ３０の汚れ度合を知ることができる。このようにして、着脱可能なフィルタカバー１２にマスキング部１２１を設けるという簡単な構造で、ユーザに除塵フィルタ３０の汚れ度合を容易に知覚させ、除塵フィルタ３０の汚れ度合が進行している場合には、除塵フィルタ３０の交換を促すことができる。
【００６５】
また、マスキング部１２１は、フィルタカバー１２に一体成形されているので、フィルタカバー１２を装着するだけで除塵フィルタ３０のマスキング領域３２をマスキングできるとともに、マスキング部１２１を設けても部品点数が増加することを抑制できる。
【００６６】
また、除塵フィルタ３０のマスキング領域３２を、送風機２０の回転軸２２延設方向である中央部として、除塵フィルタ３０の中でも通過風量の比較的少ない部分としている。したがって、除塵フィルタ３０の一部をマスキングしても、空気流れのロスが発生し難く、通過風量が低下し難い。
【００６７】
また、マスキング部１２１は、除塵フィルタ３０のマスキング領域３２を取り囲むように円筒状に形成されている。したがって、径が同一の円柱状のマスキング部を設けた場合と同一面積のマスキング領域３２を形成することができる。
【００６８】
この構成により、円柱状のマスキング部を設けた場合より、フィルタカバー１２装着時の除塵フィルタ３０圧縮反力を低減することができる。また、フィルタカバー１２成形時にひけ等の成形収縮変形が発生し難い。
【００６９】
マスキング部１２１は、角筒状等の他の筒形状であっても上記と同様の効果は得られるが、円筒形状の方が、同一面積をマスキングする場合の圧縮反力低減、および成形時の変形抑制の点でより優れている。
【００７０】
（他の実施形態）
上記一実施形態では、ケーシング１０の色については説明しなかったが、ケーシング１０の少なくとも一部、好ましくはケーシング１０のうち除塵フィルタ３０に隣接する部位を、除塵フィルタ３０が塵埃粒子を捕捉して汚れた状態の色と略同一色としたものであってもよい。
【００７１】
これによると、除塵フィルタ３０の除塵領域３１とマスキング領域３２とを見比べるばかりでなく、除塵フィルタ３０の除塵領域３１と除塵フィルタ３０が汚れた状態の色としたケーシング１０とを見比べることができる。したがって、除塵フィルタ３０の汚れの進行度合を容易に知覚することができる。
【００７２】
また、上記一実施形態では、フィルタカバー１２をケース本体部１１に装着すると、外部から除塵フィルタ３０は視認できないものであったが、ケーシング１０の少なくとも一部を透明材料により形成し、除塵フィルタ３０の除塵領域３１とマスキング領域３２とを視認できるようにしたものであってもよい。
【００７３】
例えば、図５に示すように、フィルタカバー１２にマスキング部１２１を跨ぐように透明材料（例えばアクリル樹脂）からなる透明のぞき窓１２３を設け、除塵フィルタ３０の除塵領域３１とマスキング領域３２とを視認して比較できるようにしたものであってもよい。
【００７４】
これによると、フィルタカバー１２を取り外すことなく、透明のぞき窓１２３から覗き込むだけで除塵フィルタ３０の汚れ度合を知覚することができる。透明のぞき窓１２３はフィルタカバー１２の一部のみとすることができるので意匠性を低下させ難い。
【００７５】
また、フィルタカバー１２の一部ではなく全体を透明材料により形成したものであってもよい。これによれば、覗き込むまでもなく除塵フィルタ３０の汚れ度合を知覚することができる。さらに、フィルタカバー１２に異種材料を組み合わせる必要がないので、フィルタカバー１２の製造が容易である。
【００７６】
また、上記一実施形態では、カバー部材であるフィルタカバー１２にマスキング部材であるマスキング部１２１を一体成形していたが、フィルタカバー１２とは別体のマスキング部材をフィルタカバー１２に設けるものであってもよい。
【００７７】
また、除塵フィルタ３０を着脱するために開閉するカバー部材以外のケーシング（ケース本体部等）にマスキング部材を一体もしくは別体で設け、除塵フィルタ３０をケーシングから取り出して、除塵フィルタ３０の除塵領域３１とマスキング領域３２とを見比べるようにしたものであってもよい。
【００７８】
また、上記一実施形態では、除塵フィルタ部材３０は、帯電繊維からなる綿状の部材であったが、これに限定されるものではない。例えば、不織布等をひだ状に折り曲げたフィルタ部材を用いるものであってもよい。
【００７９】
また、上記一実施形態では、空気清浄器１は所謂天井吊り下げタイプであったが、これに限定されるものではない。例えば、座席背もたれの背面側に配置する所謂シートバックタイプであってもよいし、後席後方のリアパッケージトレイ上に載置する所謂リアパッケージトレイ置きタイプであってもよい。また、トランクルーム内に配置され吸込口、吹出口等のみをリアパッケージトレイに配設した所謂リアビルトインタイプの空気清浄器であってもよい。
【００８０】
また、送風用のファンもシロッコファンに限定されず、ターボファン等の他の遠心式ファンであってもよいし、空気清浄器のタイプに応じて軸流式や還流式のファンを適宜採用したものであってもかまわない。
【００８１】
また、上記一実施形態では、空気清浄器１は車両に搭載され、車室内の空気を清浄化するものであったが、これに限定されるものではない。例えば、一般家屋、店舗、工場等の室内の空気を清浄化するものであってもよい。
【００８２】
ただし、車両の室内は、上記建物等の室内より室内空間が狭いため、マスキング部材を設けるという簡単な構造でユーザに除塵フィルタ３０の汚れ度合を容易に知覚させることができる空気清浄器は、体格を小さくすることが可能であり、車載用の空気清浄器に本発明を適用すれば極めて有効である。
【００８３】
また、車両の室内は上記建物等の室内より温度環境が厳しい場合があるとともに、加わる振動も大きいため、空気清浄器のおかれる環境条件としては車載用の方が非常に厳しい。このような厳しい環境条件下に搭載される空気清浄器に、本発明を適用して除塵フィルタ３０の汚れ度合を容易に知覚させるための構造をシンプルなものとすれば、信頼性の観点からも極めて有効である。
【図面の簡単な説明】
【００８４】
【図１】本発明を適用した一実施形態における空気清浄器１の外観を示す斜視図である。
【図２】図１におけるＡ−Ａ線断面図である。
【図３】除塵フィルタ３０の汚れ度合確認時の動作を示す断面図である。
【図４】汚れ度合確認時の除塵フィルタ３０を示す平面図である。
【図５】他の実施形態における空気清浄器を示す下面図である。
【符号の説明】
【００８５】
１  空気清浄器
１０  ケーシング
１１  ケース本体部（ケーシングの複数の分割体のうち残部の分割体）
１２  フィルタカバー（ケーシングの複数の分割体のうち一部の分割体）
１３  フィルタ固定ケース（ケーシングの複数の分割体のうち残部の分割体）
２０  送風機
２２  回転軸
２３  シロッコファン（遠心式ファン）
３０  除塵フィルタ（除塵フィルタ部材）
３１  除塵領域
３２  マスキング領域
１２１  マスキング部（マスキング部材）
１２３  透明のぞき窓
【図１】
2007021377.tif 000003
【図２】
2007021377.tif 000004
【図３】
2007021377.tif 000005
【図４】
2007021377.tif 000006
【図５】
2007021377.tif 000007